(57)【要約】【課題】複数の領域に分割されているフライパンにおいて、一の領域内にある食材が他の領域内にある食材と混合することなく、一つの領域内においてのみ、食材が相互に混ぜ合うことを可能にする。【解決手段】フライパン(100)は、フライパン本体(110)と、前記フライパン本体の外面において前記フライパン本体に取り付けられた把手(120)と、からなり、前記把手が延びる方向と同一の方向に延びる少なくともＮ個（Ｎは２以上の正の整数）の仕切り壁(131,132)を備え、前記仕切り壁は前記フライパン本体の内面に沿って取り付けられ、前記フライパン本体（１１０）の内部を（Ｎ＋１）個に分割する。【選択図】図１
2011172902.tif 000002
【特許請求の範囲】
【請求項１】
フライパン本体と、前記フライパン本体の外面において前記フライパン本体に取り付けられた把手と、からなるフライパンにおいて、
前記把手が延びる方向と同一の方向に延びる少なくともＮ個（Ｎは２以上の正の整数）の仕切り壁を備えており、
前記仕切り壁は前記フライパン本体の内面に沿って取り付けられ、前記フライパン本体の内部を（Ｎ＋１）個に分割するものであることを特徴とするフライパン。
【請求項２】
前記仕切り壁は前記フライパン本体に対して取り外し自在に取り付けられるものであることを特徴とする請求項１に記載のフライパン。
【発明の詳細な説明】
【技術分野】
【０００１】
本発明は、フライパン、特に、内部が複数の領域に仕切られている分割型のフライパンに関する。
【背景技術】
【０００２】
近年、調理の多様性に対応して、内部が複数個の領域に分割されているフライパンが提案されており、そのようなフライパンの一つとして特開２００９−９００７７号公報に記載されたものがある。
【０００３】
図４は上記公報に記載されたフライパンの斜視図である。
【０００４】
上記公報に記載されたフライパン１０００は、フライパン本体１１００と、フライパン本体１１００に取り付けられた柄１２００と、フライパン本体１１００の内部を３個の領域に分割する二つの仕切り１３０１、１３０２と、から構成されている。
【０００５】
一方の仕切り１３０１は、柄１２００が延びる方向と直交する方向において、フライパン本体１１００の周壁間に延びており、他方の仕切り１３０２は、柄１２００が延びる方向と同一の方向において、フライパン本体１１００の周壁と仕切り１３０１との間に延びている。
【０００６】
これら二つの仕切り１３０１、１３０２によって、フライパン本体１１００の内部は３個の領域、すなわち、第一領域１３１１、第二領域１３１２及び第三領域１３１３に分割されている。
【０００７】
このため、第一領域１３１１、第二領域１３１２及び第三領域１３１３の各々において、それぞれ異なった食材を調理することができる。
【先行技術文献】
【特許文献】
【０００８】
【特許文献１】特開２００９−９００７７号公報
【発明の概要】
【発明が解決しようとする課題】
【０００９】
一般に、フライパンを用いて食材を炒める場合、フライパン本体１１００の内部において、食材を混ぜ合わすことが行われる。
【００１０】
このような食材の混合はフライパンを前後に揺動させることにより行われる。具体的には、ユーザーが柄１２００を持った状態において、柄１２００を支点として、フライパン本体１１００を下方から上方に矢印Ａの方向にスイングさせ、スイングの途中でスイングを急停止させることにより、その慣性力の作用により、フライパン本体１１００の内部の食材を混ぜ合わせる（すなわち、フライパン本体１１００の下方にあった食材を上方に、上方にあった食材を下方に入れ替える）。
【００１１】
しかしながら、図４に示した従来のフライパン１０００においては、柄１２００が延びる方向において第一領域１３１１と第二領域１３１２、第三領域１３１３とが並んでいるため、フライパン１０００をスイングさせて上記のような食材の混ぜ合わせを行うと、第一領域１３１１の中の食材が第二領域１３１２または第三領域１３１３に混入してしまうことが避けられない。
【００１２】
このため、従来のフライパン１０００では、食材を混ぜ合わすためにフライパン１０００をスイングさせることは行えなかった。
【００１３】
本発明はこのような従来のフライパン１０００における問題点に鑑みてなされたものであり、一の領域内にある食材が他の領域内にある食材と混合することなく、一つの領域内においてのみ、食材が相互に混ぜ合うことを可能にするフライパンを提供することを目的とする。
【課題を解決するための手段】
【００１４】
以下に、「発明を実施するための最良の形態」において使用される参照符号を用いて、上述の課題を解決するための手段を説明する。これらの参照符号は、「特許請求の範囲」の記載と「発明を実施するための最良の形態」の記載との間の対応関係を明らかにするためにのみ付加されたものであり、「特許請求の範囲」に記載されている発明の技術的範囲の解釈に用いるべきものではない。
【００１５】
上記の目的を達成するため、本発明は、フライパン本体（１１０）と、前記フライパン本体（１１０）の外面において前記フライパン本体（１１０）に取り付けられた把手（１２０）と、からなるフライパン（１００）において、前記把手（１２０）が延びる方向と同一の方向に延びる少なくともＮ個（Ｎは２以上の正の整数）の仕切り壁（１３１、１３２）を備えており、前記仕切り壁（１３１、１３２）は前記フライパン本体（１１０）の内面に沿って取り付けられ、前記フライパン本体（１１０）の内部を（Ｎ＋１）個に分割するものであることを特徴とするフライパン（１００）を提供する。
【００１６】
前記仕切り壁（１３１、１３２）は前記フライパン本体（１１０）に対して取り外し自在に取り付けられるものであることが好ましい。
【００１７】
前記フライパン本体（１１０）の周壁の内面（１１０ａ）には相互に対向して少なくとも二対の仕切り壁取り付け手段（１１３）が形成されており、前記仕切り壁（１３１、１３２）は一対の仕切り壁取り付け手段（１１３）の間に取り外し自在に取り付けられるものであることが好ましい。
【発明の効果】
【００１８】
本発明に係るフライパンの使用時には、仕切り壁によって分割された各領域に異なる食材を入れて調理を行うことができる。本発明に係るフライパンにおいては、これらの領域は全て把手が延びる方向と同一の方向に延び、かつ、図４に示した従来のフライパン１０００とは異なり、把手が延びる方向においては他の領域と交差していない。このため、各領域内の食材を混ぜ合わせるために、フライパン１００をＡ方向（図４参照）にスイングさせたとしても、一の領域内の食材が他の領域に入り込むことはなく、異なる食材同士の混合を防止することができる。このように、本発明に係るフライパンによれば、一の領域内にある食材が他の領域内にある食材と混合することなく、一つの領域内においてのみ、食材を相互に混ぜ合わせる（すなわち、上下を引っくり返す）ことが可能になる。
【００１９】
また、仕切り壁をフライパン本体に対して取り外し自在に取り付けることができる構造とすることによって、必要に応じて、本発明に係るフライパンは、フライパン本体の内部が分割されている分割型フライパンとして、あるいは、フライパン本体の内部が分割されていない通常のフライパンとして、二通りに使用することが可能になる。
【図面の簡単な説明】
【００２０】
【図１】図１は本発明の第一の実施形態に係るフライパンの斜視図である。
【図２】図２（Ａ）は本発明の第二の実施形態に係るフライパンにおけるフライパン本体の周壁を上方から見た場合の部分的な平面図、図２（Ｂ）は仕切り壁を上方から見た場合の部分的な平面図である。
【図３】図３は本発明の第三の実施形態に係るフライパンの斜視図である。
【図４】従来のフライパンの斜視図である。
【発明を実施するための形態】
【００２１】
（第一の実施形態）
図１は本発明の第一の実施形態に係るフライパン１００の斜視図である。
【００２２】
本実施形態に係るフライパン１００は、フライパン本体１１０と、フライパン本体１１０の外面においてフライパン本体１１０に取り付けられた把手１２０と、２個の仕切り壁１３１、１３２と、から構成されている。
【００２３】
フライパン本体１１０の周壁は全体としては長円形をなしているが、周壁の一部として、把手１２０が延びる方向と直交する方向に延び、かつ、相互に対向する一対の側壁１１１、１１２を備えている。
【００２４】
２個の仕切り壁１３１、１３２の各々は把手１２０が延びる方向と同一の方向に延びており、一対の側壁１１１、１１２の間において、フライパン本体１１０の内面に沿って取り付けられている。
【００２５】
２個の仕切り壁１３１、１３２の各々の高さはフライパン本体１１０の周壁の高さの約２／３である。
【００２６】
仕切り壁１３１、１３２の両端は、強度向上のため、幅（把手１２０が延びる方向と直交する方向の長さ）が拡幅されている。
【００２７】
２個の仕切り壁１３１、１３２によって、フライパン本体１１０の内部は３個の領域、すなわち、第一領域１４１、第二領域１４２及び第三領域１４３に分割されている。これら３個の領域１４１、１４２、１４３は把手１２０が延びる方向と直交する方向に並んでいる。
【００２８】
以上のような構造を有する本実施形態に係るフライパン１００は以下のようにして使用される。
【００２９】
本実施形態に係るフライパン１００の使用時には、第一領域１４１、第二領域１４２及び第三領域１４３の各々に異なる食材を入れて調理を行うことができる。本実施形態に係るフライパン１００においては、第一領域１４１、第二領域１４２及び第三領域１４３は全て把手１２０が延びる方向と同一の方向に延び、かつ、図４に示した従来のフライパン１０００とは異なり、把手１２０が延びる方向において他の領域と交差していない。このため、各領域内の食材を混ぜ合わせるために、フライパン１００をＡ方向（図４参照）にスイングさせたとしても、一の領域内の食材が他の領域に入り込むことはなく、異なる食材同士の混合を防止することができる。
【００３０】
このように、本実施形態に係るフライパン１００によれば、一の領域内にある食材が他の領域内にある食材と混合することなく、一つの領域内においてのみ、食材を相互に混ぜ合わせる（あるいは、上下を入れ替える）ことが可能になる。
【００３１】
なお、本実施形態に係るフライパン１００の構造は上記の構造に限定されるものではなく、種々の改変が可能である。
【００３２】
例えば、本実施形態に係るフライパン１００においては、フライパン本体１１０の形状は一対の側壁１１１、１１２を含む長円形とされているが、フライパン本体１１０の形状は長円形には限定されない。フライパン本体１１０の形状としては、三角形、四角形その他の多角形、円形、楕円形、ハート型などの曲線を組み合わせた形状、あるいは、曲線と直線とを組み合わせた形状などの任意の形状を選択することができる。
【００３３】
また、本実施形態に係るフライパン１００においては、図１に示すように、仕切り壁１３１、１３２の高さはフライパン本体１１０の周壁の高さの約２／３とされているが、仕切り壁１３１、１３２の高さはこれには限定されない。例えば、仕切り壁１３１、１３２の高さはフライパン本体１１０の周壁の高さに等しく設定してもよく、あるいは、フライパン本体１１０の周壁の高さよりも高くすることも可能である。さらには、必要に応じて、仕切り壁１３１の高さと仕切り壁１３２の高さを相互に異なるように設定することも可能である。
【００３４】
また、本実施形態に係るフライパン１００は２個の仕切り壁１３１、１３２を有するものとして構成されているが、フライパン１００が有し得る仕切り壁の数は２には限定されない。仕切り壁の数として、２以上の任意の数を選択することができる。
【００３５】
なお、本実施形態に係るフライパン１００においては、フライパン本体１１０の周壁は、その一部として、一対の側壁１１１、１１２を備えているが、フライパン本体１１０の周壁が一対の側壁１１１、１１２を備えることは必ずしも必要ではない。フライパン本体１１０の周壁はその全域が曲線状であってもかまわない。
【００３６】
（第二の実施形態）
第一の実施形態に係るフライパン１００においては、仕切り壁１３１、１３２はフライパン本体１１０に対して固定されている。このため、第一の実施形態に係るフライパン１００はフライパン本体１１０の内部が分割された分割型フライパンとしてのみ使用することができる。
【００３７】
これに対して、本発明の第二の実施形態に係るフライパンにおいては、仕切り壁１３１、１３２はフライパン本体１１０に対して取り外し自在に取り付けられている。
【００３８】
図２（Ａ）は本実施形態に係るフライパンにおけるフライパン本体１１０の周壁を上方から見た場合の部分的な平面図、図２（Ｂ）は仕切り壁１３１を上方から見た場合の部分的な平面図である。
【００３９】
本実施形態に係るフライパンにおいては、図２（Ａ）に示すように、フライパン本体１１０の周壁の内面１１０ａには凸状体１１３が取り付けられている。凸状体１１３は正方形の断面を有しており、フライパン本体１１０の周壁の上下方向において周壁の底部から頂部まで延びている。
【００４０】
一方、図２（Ｂ）に示すように、仕切り壁１３１の端面には、凸状体１１３が嵌合し得る溝１３３が形成されている。
【００４１】
以上のように、仕切り壁１３１、１３２の両端面に溝１３３を形成し、溝１３３に対応する凸状体１１３をフライパン本体１１０の周壁の内面１１０ａに形成することにより、仕切り壁１３１、１３２をフライパン本体１１０に対して取り外し自在に取り付けることが可能となる。
【００４２】
これによって、必要に応じて、本実施形態に係るフライパンは、フライパン本体１１０の内部が分割されている分割型フライパンとして、あるいは、フライパン本体１１０の内部が分割されていない通常のフライパンとして、二通りに使用することが可能になる。
【００４３】
なお、凸状体１１３及び溝１３３の組み合わせの構造は、仕切り壁１３１、１３２をフライパン本体１１０に対して取り外し自在に取り付けることを可能にするための一例にすぎない。仕切り壁１３１、１３２をフライパン本体１１０に対して取り外し自在に取り付けるために、他の構造を用いることも可能である。
【００４４】
（第三の実施形態）
図３は本発明の第三の実施形態に係るフライパン３００の斜視図である。
【００４５】
図３に示すように、本実施形態に係るフライパン３００においては、フライパン本体１１０の周壁の内面１１０ａに５対の凸状体１１３が仕切り壁取り付け手段として形成されている。凸状体１１３は上述の第二の実施形態において示した凸状体１１３と同一のものである。各対における凸状体１１３は相互に対向した位置にある。
【００４６】
本実施形態に係るフライパンの使用時には、仕切り壁１３１を取り付ける凸状体１１３の任意の対を選択することができる。また、取り付ける仕切り壁１３１の数は１個に限定されるものではなく、２個以上の任意の数の仕切り壁１３１を取り付けることができる。
【００４７】
図４に示した従来のフライパン１０００においては仕切り壁１３０１、１３０２がフライパン本体１１００に対して固定されているため、フライパン本体１１００の内部の分割形状は画一的であり、変更することは不可能であった。
【００４８】
これに対して、本実施形態に係るフライパン３００によれば、ユーザーが選択した任意の凸状体１１３に任意の数の仕切り壁１３１を取り付けることができ、必要に応じて、フライパン本体１１０の分割形状を所望の形状に設定することができ、フライパン３００の使用時の利便性を向上させることができる。
【００４９】
なお、仕切り壁取り付け手段としての凸状体１１３の対の数は５個に限定されるものではなく、２以上の任意の数を選択することができる。
【符号の説明】
【００５０】
１００  本発明の第一の実施形態に係るフライパン
１１０  フライパン本体
１１１、１１２  側壁
１１３  凸状体
１２０  把手
１３１、１３２  仕切り壁
１３３  溝
１４１  第一領域
１４２  第二領域
１４３  第三領域
３００  本発明の第三の実施形態に係るフライパン
【図１】
2011172902.tif 000003
【図２】
2011172902.tif 000004
【図３】
2011172902.tif 000005
【図４】
2011172902.tif 000006